(57)【特許請求の範囲】
【請求項１】
箱状本体の一部を開閉するべく当該本体に枢支される枢支部を一端部に有する蓋体と、前記蓋体における前記枢支部の軸線回りの円周上に設けられた係合部と、前記蓋体が全閉位置から開く向きに前記係合部をばね付勢するように設けられたばね力付勢手段と、前記蓋体を前記ばね力付勢手段のばね力に抗して全閉位置に保持するためのロック手段と、前記蓋体の前記ばね力により開く開度を初期開度にするべく前記ばね力付勢手段と前記係合部との係合範囲を規制する係合範囲規制手段とを有することを特徴とする蓋用開放装置。
【請求項２】
前記ばね力付勢手段が、前記本体に支持されたばね手段と、前記ばね手段と前記係合部との間にて揺動自在に前記本体に設けられた揺動アームとからなり、
前記揺動アームの一端部を前記係合部に係合させると共に、当該係合させる方向に前記揺動アームを前記ばね手段によりばね付勢することを特徴とする請求項１に記載の蓋用開放装置。
【請求項３】
前記蓋体を前記初期開度を越えた所定の開度で保持し得るように、前記蓋体と前記本体との間に、前記蓋体が前記所定の開度に開いた状態で前記蓋体と前記本体との一方が他方に弾発的に係合する弾発係合手段を設けたことを特徴とする請求項１または請求項２に記載の蓋用開放装置。
【請求項４】
前記弾発係合手段が、前記蓋体に前記枢支部の軸線と同軸的に設けられた円環状部の内周面に設けられた凹または凸状部と、前記円環状部内に受容された状態で前記凹または凸状部に弾発的に係合するように前記本体に固設された弾発係合片とを有することを特徴とする請求項３に記載の蓋用開放装置。
【発明の詳細な説明】
【０００１】
【発明の属する技術分野】
本発明は、蓋用開放装置に関するものである。
【０００２】
【従来の技術】
例えば自動車の車内に設けられた蓋付き小物入れにあっては、小物を出し入れする時に蓋の開閉を行う。したがって、そのような小物入れにあっては、全閉状態の蓋が走行中の振動などにより開かないようにするために蓋を全閉位置でロックするロック機構を設けると共に、小物を出し入れする時にも走行中の振動などにより蓋が動かないようにするために、蓋を半開位置で止められるようにすることが好ましい。
【０００３】
上記蓋を半開位置で止められるようにした自動車用蓋付き小物入れの従来例を図７に示す。図のものでは、図示されない車体に物入れ本体２１が固設されており、その小物入れ本体２１には上方に開放された凹設部２１ａが設けられ、凹設部２１ａの開放面を覆うように形成された蓋体２２が小物入れ本体２１に傾動自在に取り付けられている。
【０００４】
また、小物入れ本体２１と蓋体２２との間には、蓋体２２を開く向きにばね付勢するためのコイルばね２３が設けられている。なお、蓋体２２を全閉状態に保持するためのロック機構を構成する係合爪を有するラッチ２４ａが小物入れ本体２１側に設けられ、対応する係合凹部２４ｂが蓋体２２に設けられている。
【０００５】
そして、蓋体２２に円弧状アーム２５が吊り下げられた状態に支持されていると共に、その円弧状アーム２５の下端部２５ａには、拡幅する向きに突設された一対の係合爪２５ｂが設けられている。小物入れ本体２１には、上記下端部２５ａを出没自在に挿通させる係合孔２１ｂが設けられており、蓋体２２の開時に小物入れ本体２１の内部側で係合爪２５ｂが係合孔２１ｂに係合して、蓋体２２の開度が規制されるようになっている。これにより、蓋体２２の半開状態が保持されるため、小物を出し入れする時に蓋体２２を開いた状態に保持するように手で押さえておく必要がなく、蓋付き小物入れの使い勝手が良くなる。
【０００６】
【発明が解決しようとする課題】
しかしながら、上記従来例のものにあっては、蓋体２２の半開状態では円弧状アーム２５が図７に示されるように露出する。したがって、その円弧状アーム２５側に小物を出し入れしようとすると、円弧状アーム２５が邪魔になって使い勝手の良さが半減してしまうばかりでなく、見栄えも悪いという問題がある。
【０００７】
【課題を解決するための手段】
このような課題を解決して、蓋付き小物入れの使い勝手を向上すると共に見栄えも良くすることを実現するために、本発明に於いては、箱状本体の一部を開閉するべく当該本体に枢支される枢支部を一端部に有する蓋体と、前記蓋体における前記枢支部の軸線回りの円周上に設けられた係合部と、前記蓋体が全閉位置から開く向きに前記係合部をばね付勢するように設けられたばね力付勢手段と、前記蓋体を前記ばね力付勢手段のばね力に抗して全閉位置に保持するためのロック手段と、前記蓋体の前記ばね力により開く開度を初期開度にするべく前記ばね力付勢手段と前記係合部との係合範囲を規制する係合範囲規制手段とを有するものとした。
【０００８】
これによれば、蓋体の初期開度を、係合部とばね力付勢手段との係合により規制することができ、その係合部が枢支部の軸線回りの円周上に設けられていることから、蓋体の初期開度を規制するための機構を枢支部近傍に設けることができ、蓋体を開いた場合に本体と蓋体との間に邪魔なものが存在しないため、小物などの出し入れを容易に行うことができると共に見栄えも向上する。
【０００９】
また、前記ばね力付勢手段が、前記本体に支持されたばね手段と、前記ばね手段と前記係合部との間にて揺動自在に前記本体に設けられた揺動アームとからなり、前記揺動アームの一端部を前記係合部に係合させると共に、当該係合させる方向に前記揺動アームを前記ばね手段によりばね付勢することによれば、揺動アームの回動範囲を規制するという簡単な機構で、上記初期開度の範囲を規制することができ、装置を低廉化し得る。
【００１０】
また、前記蓋体を前記初期開度を越えた所定の開度で保持し得るように、前記蓋体と前記本体との間に、前記蓋体が前記所定の開度に開いた状態で前記蓋体と前記本体との一方が他方に弾発的に係合する弾発係合手段を設けたことによれば、蓋体を所定の開度にクリック感をもって開くことができ、かつその所定の開度に保持することができるため、使い勝手が良い。
【００１１】
また、前記弾発係合手段が、前記蓋体に前記枢支部の軸線と同軸的に設けられた円環状部の内周面に設けられた凹または凸状部と、前記円環状部内に受容された状態で前記凹または凸状部に弾発的に係合するように前記本体に固設された弾発係合片とを有することによれば、円環状部の内周面に凹または凸状部を設けて所定の開度に保持するようにすることができ、その位置を任意にまたは多段階に設けることができるため、使い勝手に応じた自由な開度を容易に設定することができる。
【００１２】
【発明の実施の形態】
以下に添付の図面に示された具体例に基づいて本発明の実施の形態について詳細に説明する。
【００１３】
図１は、本発明が適用された自動車用蓋付き小物入れの側面図である。この小物入れは、図示されないセンターコンソールに取り付けられる箱状本体１と、本体１の図における上面を開閉する蓋体２とからなる。これら本体１と蓋体２とは従来例で示したものと同様の外観であって良い。
【００１４】
蓋体２の長手方向一端部の裏面には枢支部としての突状片部３が左右（図１における表裏方向）一対設けられており、蓋体２は、突状片部３を介して本体１に図の矢印Ａに示されるように傾動自在に枢支されている。なお、蓋体２の長手方向他端部には、蓋体２を全閉状態で保持するためのロック手段としての係合爪を有するラッチ４ａが本体１側に設けられ、対応する係合凹部４ｂが蓋体２に設けられている。これらラッチ４ａ及び係合凹部４ｂは従来例と同様であって良い。
【００１５】
次に、本発明に基づく本体１と蓋体２との枢支部の構造を図２を参照して以下に示す。蓋体２に一体に設けられた突状片部３は、本体１の側壁１ａの内側に位置するように組み付けられるようになっており、図２に示されるように側壁１ａ側に開口する有底円筒状をなしている。その突状片部３の有底円筒状部３ａ内にはカム体５が受容される。
【００１６】
カム体５は、矩形の本体部５ａと、本体部５ａの上部から左右に対称に延出された一対の円弧状片５ｂとを有する形状に形成されている。なお、本体部５ａの上部と一対の円弧状片５ｂとにより連続する外面が、有底円筒状部３ａの内周面に沿った半円状をなすように形成されていると共に、本体部５ａには一対の円弧状片５ｂを半径方向外向きに弾発付勢するための板ばね１０が組み付けられている。また、本体部５ａの側壁１ａに対峙する面には大小３つの突部５ｃ・５ｄが設けられており、側壁１ａには対応する大小３つの位置決め孔６ａ・６ｂが設けられている。これら位置決め孔６ａ・６ｂに突部５ｃ・５ｄがそれぞれ嵌合して、側壁１ａに対してカム体５が位置決めされる。
【００１７】
また、突状片部３の有底円筒状部３ａの底部にはボス状の枢軸３ａが同軸的に突設されており、カム体５の本体部５ａには枢軸３ａに嵌合する枢支孔が設けられている。そして、側壁１ａに位置決めされたカム体５をねじ７により抜け止めし、そのカム体５により枢軸３ｂを介して突状片部３を枢支するようにして、蓋体２が本体１に傾動自在に枢支されるようになっている。なお、両側壁１ａ間の幅は、蓋体２の両突状片部３（有底円筒状部）の最外端間の幅と略同一にされており、上記組み付け状態で蓋体２が本体１から脱落することがない。
【００１８】
また、側壁１ａの外側には軸部１ｂが外方に向けて突設されており、その軸部１ｂには、ねじりコイルばね８が遊びをもって装着され、さらに揺動アーム９がその中間部を枢支されるようになっている。なお、ねじ１１を軸部１ｂにねじ込むことにより、ねじりコイルばね８及び揺動アーム９が抜け止めされる。ねじりコイルばね８は、図１に併せて示されるように、その一端部を揺動アーム９の図における下端部に係合し、他端部を側壁１ａ側の係合片部１ｃに係合することにより、揺動アーム９を図の矢印Ｂに示される向きにばね付勢している。なお、揺動アーム９が本体１の外側に設けられ、突状片部３が内側に設けられており、揺動アーム６の鉤状をなす一端部が円筒状部３ａの下部に係合するように、本体１の一部には図２に示されるように開口１ｅが設けられている。
【００１９】
次に、このようにして構成された蓋付き小物入れの蓋体２の開閉要領について以下に示す。まず、全閉状態にあっては、カム体５に対して円環状部としての円筒状部３ａ及び揺動アーム９が図３に示されるように位置するようにされている。すなわち、円筒状部３ａの周壁部には、枢支部を構成する突状片部３の枢軸回りの円周上の適所に設けられており、その係合部１２ａに揺動アーム９の鉤状をなす一端部が周方向に係合するようになっている。なお、蓋体２が図３の矢印Ａに示される向きに開く時に円筒状部３ａの周壁部と揺動アーム９の一端部との干渉を避けるために、円筒状部３ａの周壁部の一部を係合部１２ａから所定の角度範囲（例えば約９０度）に渡って切り欠いた切り欠き部３ｃが設けられている。
【００２０】
上記図３の全閉状態では、揺動アーム９を介して係合部１２ａに伝えられるばね付勢力による図の矢印Ｂの向きへの開こうとする力に抗して、蓋体２がロック手段（４ａ・４ｂ）により保持されている。例えばラッチ４ａに連動する押しボタンを押してラッチ４ａ及び係合凹部４ｂの係合状態を解除することにより、係合部１２ａに加わっている付勢力により蓋体２が図４に示されるように若干開いた状態になる。このとき、揺動アーム９の他端部（図の下端部）が側壁１ａに設けられているストッパ部１ｄに衝当し、その衝当位置まで揺動アーム９が回動し、それに応じて蓋体２初期開度が規制されている。したがって、揺動アーム９の形状やストッパ部１ｄの衝当位置などを設計変更することにより、蓋体２の初期開度の大きさを任意に設定することができる。このようにして、係合範囲規制手段が設けられている。
【００２１】
そして、本体１内に対して小物を出し入れするために、ユーザがさらに蓋体２を開くことになるが、本発明によれば、蓋体２の開度を任意に保持できるようにしている。そのために、有底円筒状部３ａの内周面に軸心を挟んで対称位置に一対の係合凸部１２ｂが設け、弾発係合片としてのカム体５の一対の円弧状片５ｂの各延出端部に凸状部としての係合爪１３が設けられている。係合凸部１２ｂは、蓋体２を約４５度に向けて開いた時に円弧状片５ｂの弾性変形により係合爪１３が乗り越えることができると共に、その約４５度の状態から自然に蓋体２が閉じないように、図５に示されるように蓋体２の閉じ方向に対して係合爪１３と係合する位置に設けられている。これにより、蓋体２を約４５度の開度で保持することができ、小物の出し入れ時に全開にしなくても良い場合に便利である。
【００２２】
さらに、本図示例では、蓋体２を約９０度に開いた状態で保持可能にしている。そのために、蓋体２を約９０度に向けて開いた時に円弧状片５ｂの弾性変形により係合爪１３が乗り越えることができると共に、その約９０度の状態で係合爪１３が係合する一対の係合凹部１２ｃが、有底円筒状部３ａの内周面に軸心を挟んで対称位置に設けられている。これにより、蓋体２を、約９０度の開度でかつその状態から開閉方向いずれの方にも蓋体２が自然に傾動しないように保持することができ、蓋体２を大きく開いて小物の出し入れをする場合に便利である。なお、各凹凸形状は任意であり、図示例と逆にしても良い。
【００２３】
このように、全閉状態から初期開度へけり出すようにして開き、その初期開度の状態に保持する機構を上記したように蓋体２の枢支部（突状片部３）及びその近傍に設けたことから、従来例のように本体１と蓋体２との間に邪魔な円弧状アームなどが無く、小物などの出し入れが容易である。また、約４５度及び約９０度の開度に開く時には、係合凸部１２ｂ及び係合凹部１２ｃに対して円弧状片５ｂの弾性復元力により係合爪１３が係合することから、クリック感をもって蓋体２を開くことができ、使い勝手が良い。また、各開度は上記図示例に限られるものではなく、蓋体２の保持開度を任意に設定したり、またより多くの位置で止めたりするようにして、多段階の開度で開いて保持するようにしても良い。
【００２４】
なお、各開度から蓋体２を閉じる場合にも、円弧状片５ｂの弾性変形により係合爪１３が各係合凸部１２ｂ及び係合凹部１２ｃを乗り越えることができることから、少しの力で閉じることができる。そして、蓋体２を全閉にすることにより、その位置でラッチ４ａを係合凹部４ｂに係合させることができ、全閉状態に保持した状態にすることができる。
【００２５】
【発明の効果】
このように本発明によれば、蓋体の初期開度を、係合部とばね力付勢手段との係合により規制することができ、その係合部が枢支部の軸線回りの円周上に設けられていることから、蓋体の初期開度を規制するための機構を枢支部近傍に設けることができ、蓋体を開いた場合に本体と蓋体との間に邪魔なものが存在しないため、小物などの出し入れを容易に行うことができると共に見栄えも向上する。特に、ばね手段と揺動アームとの組み合わせにより、揺動アームの回動範囲を規制するという簡単な機構で、上記初期開度の範囲を規制することができ、装置を低廉化し得る。
【００２６】
また、蓋体を所定の開度で保持し得る弾発係合手段を設けることにより、蓋体を所定の開度にクリック感をもって開くことができ、かつその所定の開度に保持することができるため、使い勝手が良い。また、円環状部の内周面に凹または凸状部を設け、凹または凸状部に係合する弾発係合片を設けることにより、所定の開度に保持するようにすることができ、凹または凸状部の位置を任意にまたは多段階に設けることができるため、使い勝手に応じた自由な開度を容易に設定することができる。
【図面の簡単な説明】
【図１】本発明が適用された自動車用蓋付き小物入れの側面図。
【図２】本小物入れの枢支部及びその近傍を示す分解組み立て斜視図。
【図３】蓋体の全閉状態を示す要部拡大側面図。
【図４】蓋体の初期開度状態を示す要部拡大側面図。
【図５】蓋体の半開状態を示す要部拡大側面図。
【図６】蓋体の全開状態を示す要部拡大側面図。
【図７】従来の蓋付き小物入れを示す斜視図。
【符号の説明】
１  本体
２  蓋体
３  突状片部
４ａ  ラッチ、４ｂ  係合凹部
５  カム体
６ａ・６ｂ  位置決め孔
８  ねじりコイルばね
９  揺動アーム
１２ａ  係合部、１２ｂ  係合凸部、１２ｃ  係合凹部
１３  係合爪
２１  本体
２２  蓋体
２５  円弧状アーム
【図１】
0003906081.tif 000002
【図２】
0003906081.tif 000003
【図３】
0003906081.tif 000004
【図４】
0003906081.tif 000005
【図５】
0003906081.tif 000006
【図６】
0003906081.tif 000007
【図７】
0003906081.tif 000008